(57)【要約】【課題】ゴルフの打撃練習でダフったことを容易に把握できるゴルフ練習具の提供。【解決手段】ハウジング８は、筒状とされ、脚部７，７に保持されている。ハウジング８内には、その軸線に沿って、軸部９が保持部材１１を介して保持される。軸部９には、ねじりコイルバネ５を介して回転部材３が保持される。回転部材３には、帯状の確認シート４の一端が固定されている。確認シート４は、回転部材３に所望回数巻き付けられていると共に、ハウジング８の引き出し部１０を介して、外部へ所望長さ引き出されている。確認シート４は、ねじりコイルバネ５により巻き取る方向へ付勢されているが、確認シート４に固定された規制手段６がハウジング８に接触して、それ以上の巻き取りが防止されている。【選択図】図２
2011245227.tif 000002
【特許請求の範囲】
【請求項１】
支持体に回転可能に設けられる回転部材と、
この回転部材に巻き取りおよび引き出し可能に設けられ、所望長さ引き出されてマットに敷かれる帯状の確認シートと
を備えることを特徴とするゴルフ練習具。
【請求項２】
前記確認シートを巻き取る方向へ付勢する付勢手段と、
前記確認シートの一定以上の巻取りを防止する規制手段とを備え、
スイングされたゴルフクラブと前記確認シートとの摩擦によって、前記付勢手段に対抗して、前記確認シートを引き出し可能とされた
ことを特徴とする請求項１に記載のゴルフ練習具。
【請求項３】
前記支持体は、筒状のハウジングと、このハウジング内に軸方向に沿って設けられる棒状の軸部とを備え、
前記ハウジングの外周壁には、前記確認シートの引き出し部が、軸方向に沿って内外を連通して形成され、
前記付勢手段は、ねじりコイルバネであって、前記軸部が通されており、
前記回転部材は、円筒状とされ、その内穴に前記軸部および前記ねじりコイルバネが通されて前記ハウジング内に設けられ、
前記ねじりコイルバネの一端部が前記軸部に設けられると共に、他端部が前記回転部材に設けられて、前記確認シートの巻取方向へ前記回転部材が付勢され、
前記確認シートは、前記ねじりコイルバネによって巻き取る方向へ付勢されると共に、前記規制手段によって一定以上の巻取りが防止されて、前記引き出し部を介して前記ハウジングから所望長さ引き出されて維持されている
ことを特徴とする請求項２に記載のゴルフ練習具。
【請求項４】
前記規制手段は、前記確認シートに固定された部材とされ、
前記規制手段が前記ハウジングの外周壁に接触することで、前記確認シートの一定以上の巻き取りが防止される
ことを特徴とする請求項３に記載のゴルフ練習具。
【請求項５】
前記確認シートは、ケブラー繊維により形成されている
ことを特徴とする請求項１〜４のいずれか１項に記載のゴルフ練習具。
【請求項６】
前記ケブラー繊維には、紫外線吸収剤が塗布されている
ことを特徴とする請求項５に記載のゴルフ練習具。
【請求項７】
前記ハウジングには、スイング時にゴルフクラブが接触するのを防止するために、その外面の一部を覆うカバーが設けられる
ことを特徴とする請求項３〜６のいずれか１項に記載のゴルフ練習具。
【発明の詳細な説明】
【技術分野】
【０００１】
本発明は、ゴルフの打撃練習に使用されるゴルフ練習具に関するものである。
【背景技術】
【０００２】
従来、ゴルフ練習場では、ゴムマットの上にボールを置き、そのボールをアイアンなどのクラブで打って打撃練習を行っている。また、下記特許文献１に開示されるようなゴルフ用マットが使用されている。このゴルフ用マットは、ゴルフコースにより近い状態で練習できるように、弾性体マットの上に人工芝マットが設けられて構成されている。
【先行技術文献】
【特許文献】
【０００３】
【特許文献１】特開平７−２５５８８９号公報
【発明の概要】
【発明が解決しようとする課題】
【０００４】
しかしながら、ゴルフ練習場では良いショットができるのに、実際のゴルフ場ではダフってしまい全然良いショットができないということがよくある。これは、ゴルフ練習場での打撃練習においてダフっているにもかかわらず、良いショットと勘違いしていることが主な原因である。
【０００５】
具体的には、従来のゴムマットや、特許文献１に開示されたゴルフ用マットでは、スイング時にボールの手前でクラブがマットに接触した場合、クラブがマット上を滑ってボールを捉えるため、ダフったことを把握できないおそれがある。また、クラブがマットに接触した衝撃でボールが浮き上がり、その浮き上がったボールをクラブが捉えるため、通常よりもフェースの上部でボールを捉えることになる。これにより、ボールはより高く打ち出されるため、ダフったことを余計に把握できないおそれがある。
【０００６】
本発明が解決しようとする課題は、ゴルフの打撃練習においてダフったことを容易に把握できるゴルフ練習具を提供することにある。
【課題を解決するための手段】
【０００７】
本発明は、前記課題を解決するためになされたもので、請求項１に記載の発明は、支持体に回転可能に設けられる回転部材と、この回転部材に巻き取りおよび引き出し可能に設けられ、所望長さ引き出されてマットに敷かれる帯状の確認シートとを備えることを特徴とするゴルフ練習具である。支持体は、この練習具を定位置に動かないように固定するための構造を備えており、これにより反復練習することができる。回転部材は支持体内において軸中心に回転可能であって、好ましくは円筒形もしくは円柱形に形成され、その周面に確認シートを巻くことができる形状に形成されている。確認シートは、その一端が回転部材に固定されていて、回転部材が回転されると、回転部材の周面に巻き取られ得る。確認シートは、その上にゴルフボールを置いてゴルフクラブをスイングすることができる素材からなり、ダフッた場合には、皺になったりしてダフったことを視認し得るものであって、しかも、支持体から所望長さ引き出した状態で使用することができる。
【０００８】
請求項２に記載の発明は、前記確認シートを巻き取る方向へ付勢する付勢手段と、前記確認シートの一定以上の巻取りを防止する規制手段とを備え、スイングされたゴルフクラブと前記確認シートとの摩擦によって、前記付勢手段に対抗して、前記確認シートを引き出し可能とされたことを特徴とする請求項１に記載のゴルフ練習具である。付勢手段は、バネ力などを付与することによって確認シートを回転部材に巻き取る方向に付勢するものであり、コイルバネやゴム材などによって構成される。確認シートの一定以上の巻き取りを防止する、というのは、確認シートの上にゴルフボールを置いてゴルフクラブをスイングするのに十分な長さ引き出しだした状態を維持できるようにすることを意味している。規制手段は、確認シートが回転部材に必要以上に巻き取られるのを阻止する手段であり、確認シートに係止部材を取り付けておき確認シートが巻き取られる際に、この係止部材が、支持体の一部に係止するように構成する。あるいは、回転部材の回転を、回転部材の回転数に応じて停止させることにより行ってもよい。
【０００９】
請求項３に記載の発明は、前記支持体は、筒状のハウジングと、このハウジング内に軸方向に沿って設けられる棒状の軸部とを備え、前記ハウジングの外周壁には、前記確認シートの引き出し部が、軸方向に沿って内外を連通して形成され、前記付勢手段は、ねじりコイルバネであって、前記軸部が通されており、前記回転部材は、円筒状とされ、その内穴に前記軸部および前記ねじりコイルバネが通されて前記ハウジング内に設けられ、前記ねじりコイルバネの一端部が前記軸部に設けられると共に、他端部が前記回転部材に設けられて、前記確認シートの巻取方向へ前記回転部材が付勢され、前記確認シートは、前記ねじりコイルバネによって巻き取る方向へ付勢されると共に、前記規制手段によって一定以上の巻取りが防止されて、前記引き出し部を介して前記ハウジングから所望長さ引き出されて維持されていることを特徴とする請求項２に記載のゴルフ練習具である。
【００１０】
請求項４に記載の発明は、前記規制手段は、前記確認シートに固定された部材とされ、前記規制手段が前記ハウジングの外周壁に接触することで、前記確認シートの一定以上の巻き取りが防止されることを特徴とする請求項３に記載のゴルフ練習具である。
【００１１】
請求項５に記載の発明は、前記確認シートは、ケブラー繊維により形成されていることを特徴とする請求項１〜４のいずれか１項に記載のゴルフ練習具である。
【００１２】
請求項６に記載の発明は、前記ケブラー繊維には、紫外線吸収剤が塗布されていることを特徴とする請求項５に記載のゴルフ練習具である。
【００１３】
さらに、請求項７に記載の発明は、前記ハウジングには、スイング時にゴルフクラブが接触するのを防止するために、その外面の一部を覆うカバーが設けられることを特徴とする請求項３〜６のいずれか１項に記載のゴルフ練習具である。
【発明の効果】
【００１４】
本発明によれば、ゴルフの打撃練習においてダフったことを容易かつ確実に把握できるゴルフ練習具を提供することができる。そして、これまで練習者が技術向上のために練習場で練習していても、ダフッていることに気がつかず練習していることで、ダフリ癖がつき技術が向上したと錯覚したまま、ゴルフ場へラウンドしに行った場合、思ったようなゴルフができずにがっかりしてしまうことがあったり、また、練習場で練習しているときは、ダフったかどうか自覚するには相当の技量がなければ、なかなか困難であったために、上級者に見てもらったり、プロゴルファーのレッスンを受けたりする必要があったが、この練習具を使用することで、初心者であっても、ダフったかどうかの自覚ができ、普段の練習からダフらないような練習ができ、そして、練習場での技量がそのままゴルフ場でのショットに結び付き予想したラウンドができるようになり、さらなる技術向上が期待できるとともに、ゴルフをより一層楽しむことができる。さらに、上級者の練習に使用する場合には、ダフリ練習に加えて、確認シートのどの部分にボールを置くかで、スイングの改造や、ボールの打ち方、例えば、低い球を打ったり、高い球を打ったりする方法の練習をしたり、あるいは、バンカー用の練習でゴルフクラブをボールの手前どのくらいに入れるかの練習にも使用できる。このように、ゴルフの練習の多くの場面において使用でき、多くのゴルファーの悩みを解決するのに役立ち、ゴルフ技術の向上に役立つものである。
【図面の簡単な説明】
【００１５】
【図１】本発明のゴルフ練習具の一実施例を示す図であり、正面側から見た斜視図である。
【図２】図１のゴルフ練習具の概略横断面図である。
【図３】図１のゴルフ練習具の使用状態を示す概略縦断面図である。
【図４】ダフった場合を示す図であり、（ａ）はダフり具合が大きい場合を示す説明図、（ｂ）はダフり具合が小さい場合を示す説明図である。
【図５】本発明のゴルフ練習具の変形例を示す図であり、正面側から見た斜視図である。
【図６】図５のゴルフ練習具の概略横断面図である。
【図７】図５のゴルフ練習具の使用状態を示す概略縦断面図である。
【発明を実施するための形態】
【００１６】
以下、本発明の具体的実施例を図面に基づいて詳細に説明する。
図１から図３は、本発明のゴルフ練習具の一実施例を示す図であり、図１は正面側から見た斜視図、図２は概略横断面図、図３は使用状態を示す概略縦断面図である。
【００１７】
本実施例のゴルフ練習具１は、支持体２に回転可能に設けられる回転部材３と、回転部材３に巻き取りおよび引き出し可能に設けられる確認シート４と、確認シート４を巻き取る方向へ付勢する付勢手段５と、確認シート４の一定以上の巻き取りを防止する規制手段６とを主要部に備える。
【００１８】
支持体２は、左右方向に離隔して配置される脚部７と、脚部７，７間に架け渡されるように設けられるハウジング８と、ハウジング８内に設けられる軸部９とを備える。
【００１９】
各脚部７は、支持体２を安定して保持するもので、前後方向が長手方向とされる略長方形の板状とされ、前後両端部が円弧状に形成されている。各脚部７は、板面が上下方向へ向いて配置される。
【００２０】
ハウジング８は、脚部７と一体をなし、内部空間を有していて、この内部空間に回転部材３を収納しており、ハウジング８には、回転部材３に一端を固定した確認シート４の他端側を引き出す引き出し部１０が形成されている。引き出し部１０は、確認シート４が自由に出入りする大きさの細幅のスリット状の貫通穴とされる。図示例では、ハウジング８は、左右方向へ開口する略矩形筒状とされ、軸方向が左右方向に沿って配置される。ハウジング８の前壁には、確認シート４の引き出し部１０が形成されている。具体的には、ハウジング８の前壁の上部には、ハウジング８内外を連通して左右方向に細長い貫通穴が形成されて、引き出し部１０が構成されている。なお、本実施例では、引き出し部１０は、保守、組み立ての容易さのために右側面へも開口しているが、左右を閉じていてもよい。ハウジング８は、その下壁の左右両端部が脚部７の上面に固定されて脚部７，７間に架け渡される。本実施例では、ハウジング８の下壁と各脚部７の上面とは耐衝撃性のために溶接にて固定されているが、ねじなどの固定手段により固定してもよい。
【００２１】
軸部９は、ハウジング８を回転可能に支持するもので、円筒状若しくは角柱状の棒材とされ、ハウジング８の回転中心となる軸線に沿って配置されている。軸部９は、耐強度の点から金属製とされ、ハウジング８内の内部空間において保持部材１１，１１間に架け渡される。図示例では、保持部材１１は、ハウジング８の内穴に対応した矩形板状とされ、ハウジング８の左右両端部に離隔して設けられる。そして、軸部９は、左端部が左側の保持部材１１の中央部に形成された貫通穴にはめ込まれると共に、右端部が右側の保持部材１１の中央部に形成された貫通穴にはめ込まれて固定され、保持部材１１，１１に取り付けられている。このようにして、軸部９は、ハウジング８に対して固定される。軸部９が角柱状のときは、保持部材１１の角穴に挿通して回り止めを兼ねることができる。
【００２２】
回転部材３は、金属製若しくはプラスチック製とされ、左右方向へ開口する円筒状に形成されている。回転部材３は、その内穴に軸部９が通されてハウジング８内に設けられる。この際、回転部材３は、その内穴に通される付勢手段５を介して、軸部９に保持される。
【００２３】
付勢手段５は、ねじりコイルバネとされ、本実施例では、二つのねじりコイルバネが左右に隣接して回転部材３内に収容されている。左側のねじりコイルバネ５は、内部に軸部９が通された状態で、その左端部が回転部材３の左端部に固定されると共に、右端部が軸部９の略中央部に固定される。一方、右側のねじりコイルバネ５は、内部に軸部９が通された状態で、その左端部が軸部９の略中央部に固定されると共に、右端部が回転部材３の右端部に固定される。これにより、回転部材３は、図３における反時計方向へ回転するように付勢され、しかも、ゴルフクラブと確認シート４との摩擦力によって引き出された場合に容易に引き出される。
【００２４】
確認シート４は、前後方向が長手方向とされる帯状とされ、前端部に前後方向に沿って複数本の直線が引かれている。本実施例の確認シート４は、ケブラー繊維により形成されるのが好ましい。これにより、確認シート４の耐摩耗性を向上させることができる。さらに、ケブラー繊維には、紫外線吸収剤を含む塗料を塗布しておくのが好ましい。これにより、ケブラー繊維の紫外線による劣化を防止することができる。
【００２５】
このようにして形成された確認シート４は、後端部が回転部材３の周側壁外面に固定される。そして、確認シート４は、回転部材３に固定されると共に、回転部材３に所望回数巻き付けられた状態で、ハウジング８に形成された引き出し部１０を介して、外部へ所定長さ引き出されている。なお、前述したように、ハウジング８の引き出し部１０は、ハウジング８内外を連通する貫通穴とされ、右方向へ開口している。このようにした場合は、回転部材３に確認シート４を固定して、それらをハウジング８の右開口部から内部に入れる際に、回転部材３から引き出された確認シート４が、引き出し部１０の右開口部を介して、引き出し部１０に配置される。
【００２６】
図２や図３に示すように、確認シート４は、回転部材３に固定された一端から時計方向へ回転部材３に所望回数巻き付けられる。また、回転部材３は、付勢手段５により反時計方向へ回転するように付勢されている。すなわち、回転部材３に固定された確認シート４は、付勢手段５により、回転部材３に巻き取られる方向へ常時付勢される。そして、確認シート４は、スイング時のゴルフクラブと確認シート４との摩擦によって、付勢手段５に対抗して引き出される程度に付勢されている。
【００２７】
確認シート４には、回転部材３に固定された確認シート４の一定以上の巻き取りを防止する規制手段６が設けられる。本実施例の規制手段６は、確認シート４の下面に固定される略矩形状の係止部材とされる。図２に示すように、規制手段６である係止部材は、確認シート４の左右両端部に設けられる。これにより、回転部材３に固定された確認シート４は、付勢手段５により巻き取る方向へ付勢されているが、確認シート４に固定された規制手段６がハウジング８の前壁外面に係止して、それ以上の巻き取りが防止される。
【００２８】
このようにして、回転部材３に固定された確認シート４は、ハウジング８の引き出し部１０を介して、所定長さ引き出されて維持される。この際、規制手段６を確認シート４の複数位置に着脱可能に設けてもよく、このようにした場合、規制手段６の確認シート４への取付位置を前後に変更することもできる。これにより、確認シート４のハウジング８からの引き出し長さを変更して、引き出し長さを練習者の技量などに合わせた長さに設定できる。また、練習が終了した際に規制手段６を解除可能として、確認シート４を支持体２内に収納できるようにしてもよい。
【００２９】
図示例のハウジング８の左右両端部には、その開口を閉塞するキャップ１２が設けられている。本実施例の各キャップ１２は、ゴム製で不透明とされ、左右方向内側へ開口する略矩形ボックス状に形成されている。キャップ１２は、ハウジング８の端部がキャップ１２内にはめ込まれるようにして、ハウジング８の端部に着脱可能に取り付けられる。これにより、ハウジング８を閉塞して、内部に不用意に物が入り込まないようにしている。
【００３０】
ハウジング８の上壁外面および後壁外面にはそれぞれ、耐衝撃材からなるカバー１３が設けられる。本実施例のカバー１３は、左右方向が長手方向とされる略長方形の板状とされ、発砲ウレタン樹脂などのクッション素材から形成される。図１や図２に示すように、カバー１３は、ハウジング８よりも左右長さが短く形成されている。カバー１３は、その板面がハウジング８の上壁外面に沿って設けられる。本実施例では、カバー１３は、接着剤でハウジング８に固定される。前述したように、カバー１３は、ハウジング８よりも左右長さが短く形成されており、ハウジング８の上壁外面の左右両端部を残して覆うように固定される。同様に、ハウジング８の後壁外面にカバー１３が接着される。
【００３１】
次に、本実施例のゴルフ練習具１の使用について説明する。ゴルフ練習具１は、前後方向が長手方向とされる略長方形のマット１４と共に使用される。マット１４は、通常の一般的なゴルフマットとされ、たとえば、上面に人工芝を有するものである。
【００３２】
図３に示すように、ゴルフ練習具１は、ハウジング８から所定長さ引き出された確認シート４が、マット１４の上面に敷かれて使用される。この際、マット１４と脚部７とを固定したり、脚部７に形成された貫通穴１５を介して、地面や床面などにボルトをねじ込んだりして、ゴルフ練習具１を固定してもよい。
【００３３】
使用者が初級程度の技量の場合には、確認シート４よりも前方のマット１４上（図３に示す二点鎖線のゴルフボールの位置）に、ゴルフボール１６が直接載せ置かれる。中級程度の場合には、前述した位置よりも後方のマット１４上（図３に示す実線のゴルフボールの位置）に、ゴルフボール１６が直接載せ置かれる。上級程度の場合には、確認シート４上（図３に示す点線のゴルフボールの位置）に、ゴルフボール１６が直接載せ置かれる。そして、前方へ向けてゴルフボール１６を打ち、通常通りにゴルフの打撃練習を行えばよい。
【００３４】
本実施例のゴルフ練習具１によれば、予め確認シート４が回転部材３に所望回数巻き付けられているため、確認シート４が引き出し可能とされている。従って、ダフった場合には、ゴルフクラブにより確認シート４が前方へ引き出される。図４は、ダフった場合を示す図であり、（ａ）はダフり具合が大きい場合を示す説明図、（ｂ）はダフり具合が小さい場合を示す説明図である。
【００３５】
これらの図に示すように、ダフり具合が大きい場合には、ゴルフクラブ１７により確認シート４が大きく前方へ引き出され、確認シート４が捩れたり、とび跳ねたりする。これにより、使用者は、ダフったことを把握することができる。また、確認シート４が大きく前方へ引き出されることで、ゴルフクラブ１７に確認シート４が絡んだり、クラブフェースとゴルフボール１６との間に確認シート４が挟まった場合には、ゴルフボール１６が通常と全く違う飛び方をする。このことからも、使用者は、ダフったことを把握することができる。
【００３６】
ダフり具合が小さい場合には、ゴルフクラブ１７により確認シート４が少し前方へ引き出され、確認シート４が捩れたり、とび跳ねたりする。これにより、使用者は、ダフったことを把握することができる。ダフっていない場合には、確認シート４が前方へ引き出されず、確認シート４が変化しないため、ナイスショットと判断することができる。
【００３７】
図５から図７は、本発明のゴルフ練習具の変形例を示す図であり、図５は正面側から見た斜視図、図６は概略横断面図、図７は使用状態を示す概略縦断面図である。本変形例のゴルフ練習具１も、基本的には前記実施例と同様の構成である。そこで、以下においては、両者の異なる点を中心に説明し、対応する箇所には同一の符号を付して説明する。
【００３８】
本変形例のゴルフ練習具１も、支持体２に回転可能に設けられる回転部材３と、回転部材３に巻き取りおよび引き出し可能に設けられる確認シート４と、確認シート４を巻き取る方向へ付勢する付勢手段５と、確認シート４の一定以上の巻き取りを防止する規制手段６とを主要部に備える。さらに、支持体２は、左右方向に離隔して配置される脚部７と、脚部７，７間に架け渡されるように設けられるハウジング８と、ハウジング８内に設けられる軸部９とを備える。
【００３９】
前記実施例では、各脚部７は、略長方形の板状に形成されたが、本変形例では、各脚部７は、板材を屈曲して形成された略コ字形の部材とされる。具体的には、各脚部７は、上方に配置される上板片１８と、下方に配置される下板片１９と、上板片１８と下板片１９との間に架け渡される垂直板片２０とを備えて構成される。本変形例では、下板片１９は、上板片１８よりも前後方向の長さが長く形成されている。
【００４０】
本変形例では、ハウジング８は、略円筒状に形成されており、その周側壁には、前記実施例と同様に、確認シート４の引き出し部１０が前後方向に貫通して形成されている。すなわち、引き出し部１０は、左右方向に細長い貫通穴とされ、右方向へ開口している。図７に示すように、ハウジング８は、左右両端部が脚部７の下側角部に固定されて脚部７，７間に架け渡されるが、この際、本変形例では、ハウジング８と各脚部７とは溶接にて固定される。
【００４１】
前記実施例では、軸部９は、略矩形板状の保持部材１１を介してハウジング８内に保持されたが、本変形例では、軸部９は、ボルト２１およびナット２２からなる保持部材１１を介してハウジング８内に保持される。図６に示すように、軸部９は、ハウジング８の左右両端部に設けられるボルト２１，２１間に架け渡される。ボルト２１は、ハウジング８に径方向に沿って貫通して設けられ、先端部にナット２２がねじ込まれることで、ハウジング８に取り付けられる。左側のボルト２１は、ハウジング８内に軸方向に沿って配置された軸部９の左端部に形成された貫通穴に通されており、右側のボルト２１は、その軸部９の右端部に形成された貫通穴に通されている。そして、各ボルト２１と軸部９の端部が固定される。本実施例では、ボルト２１にねじ込まれる二つのナット２９，２９により、軸部９の各端部が挟まれて固定される。これにより、軸部９は、ボルト２１に沿ってハウジング８の径方向に移動することが防止され、ハウジング８内に軸線に沿って保持される。
【００４２】
前記実施例では、キャップ１２は、略矩形ボックス状に形成されたが、本変形例では、キャップ１２は、略円筒状に形成される。本変形例のキャップ１２は、左右方向内側へ開口した略円筒状とされ、プラスチックにより一体形成される。キャップ１２の軸方向外側端部には、径方向外側へ延出して円板状のツバ部２３が形成されている。キャップ１２の周側壁には、径方向に対向した二か所に、溝状の切欠き２４が軸方向に沿って形成されている。キャップ１２は、軸方向外側端部に形成されたツバ部２３が、ハウジング８の開口端面に当接するまで、ハウジング８の開口部内にはめ込まれて設けられる。その際、保持部材１１のボルト２１は、キャップ１２に形成された切欠き２４内に配置される。
【００４３】
本変形例では、カバー１３は、略Ｌ字状に形成され、ハウジング８の周側壁上部と後部とを覆うように設けられる。本変形例のカバー１３は、脚部７に設けられる基材２５と、基材２５に設けられる二つの緩衝材２６，２６とを備えて構成される。
【００４４】
基材２５は、左右方向へ延出する断面略Ｌ字状の金属製の板材とされる。具体的には、略長方形の板状の一片２７と、一片２７の後端部から下方へ延出する略長方形の板状の他片２８とから構成される。各緩衝材２６は、発砲ウレタン樹脂などのクッション素材からなる板片とされ、基材２５の一片２７および他片２８と左右長さがほぼ同一に形成されている。
【００４５】
一方の緩衝材２６は、その板面が基材２５の一片２７の上面に沿って設けられる。本実施例では、緩衝材２６は、接着剤で基材２５に固定される。これにより、基材２５の一片２７の上面が緩衝材２６にて覆われる。同様に、基材２５の他片２８の後面には、他方の緩衝材２６が接着される。
【００４６】
以上のような構成のカバー１３は、基材２５の一片２７の左右両端部が脚部７の上板片１８，１８間に架け渡されると共に、基材２５の他片２８の左右両端部が脚部７の垂直板片２０，２０間に架け渡されて、脚部７に設けられる。本実施例では、カバー１３は、ネジを用いて脚部７に着脱可能に取り付けられる。
【００４７】
なお、その他の構成である付勢手段５や規制手段６などは、前記実施例と同様のため、説明を省略する。本変形例のゴルフ練習具１も、前記実施例と同様に使用される。
【００４８】
本実施例や本変形例のゴルフ練習具１によれば、確認シート４は、付勢手段５により常時巻き取る方向へ付勢されていると共に、規制手段６により一定以上の巻き取りが防止されている。これにより、スイングされたゴルフクラブ１７と確認シート４との摩擦によって、確認シート４が前方へ引き出された場合、ゴルフクラブ１７のスイングを終えると自動的に初期の長さまで巻き取られ、使用者は、続けてゴルフの打撃練習を行うことができる。
【００４９】
本実施例や本変形例のゴルフ練習具１によれば、ゴルフボール１６の置く位置を変更することで、使用者の技量に合わせたゴルフの打撃練習を行うことができる。上級者の場合には、ダフったことを確認できる他に、スイングの改造や、低い球や高い球を打つ練習ができる。さらに、バンカーショットの練習で、ゴルフクラブ１７をゴルフボール１６のどの程度手前に入れるかの練習を行うことができる。このように、初心者から上級者までのほとんどのゴルファーの練習に使用でき、ゴルフの技術を向上させることができる。
【００５０】
本実施例や本変形例のゴルフ練習具１によれば、カバー１３が設けられているため、スイング時にゴルフクラブ１７がハウジング８に接触するのを防止でき、ハウジング８が損傷するのを防止できる。本変形例では、カバー１３は、脚部７に着脱可能に設けられるため、緩衝材２６が悪くなった場合に容易に交換できる。
【００５１】
本実施例や本変形例のゴルフ練習具１によれば、確認シート４は、ケブラー繊維により形成されているため、耐摩耗性が高い。これにより、ダフってゴルフクラブ１７で確認シート４に力が加わっても、破れたり裂けたりすることが少なく、長期間使用することができる。また、ケブラー繊維には、紫外線吸収剤が塗布されているため、紫外線による劣化を防止することができ、長期間使用することができる。なお、ゴルフ練習具１は、紫外線を防ぐことができるケースに収納されて保管されるのが好ましい。
【００５２】
本発明のゴルフ練習具は、前記実施例や前記変形例の構成に限らず、適宜変更可能である。たとえば、前記実施例などでは、二つのねじりコイルバネ５，５が用いられたが、一つでもよい。この場合、ねじりコイルバネは、内部に軸部９が通された状態で、その一端部が回転部材３に固定されると共に、他端部が軸部９に固定される。あるいは、復元性を有する弾性部材を用いてもよい。
【００５３】
また、前記実施例などでは、確認シート４に設けられた規制手段６がハウジング８に係止することで、確認シート４の一定以上の巻き取りが防止されたが、これに限定されるものではない。確認シート４が、一定量引き出された状態で停止し得る構成であればよい。
【００５４】
また、前記実施例などでは、確認シート４は、回転部材３に固定され、その固定された一端から時計方向へ回転部材３に所望回数巻き付けられたが、これとは逆に、反時計方向へ所望回数巻き付けてもよい。この場合、回転部材３は、付勢手段５によって時計方向へ付勢される。また、前記実施例などでは、軸部９は、角柱状の棒材とされたが、これに限定されるものではなく、中空材でもよい。さらに、前記実施例などでは、規制手段６は、略矩形状の係止部材とされたが、これに限定されるものではなく、衣服のボタン形状でもよい。
【符号の説明】
【００５５】
１  ゴルフ練習具
２  支持体
３  回転部材
４  確認シート
５  ねじりコイルバネ（付勢手段）
６  規制手段
８  ハウジング
９  軸部
１０  引き出し部
１３  カバー
１４  マット
【図１】
2011245227.tif 000003
【図２】
2011245227.tif 000004
【図３】
2011245227.tif 000005
【図４】
2011245227.tif 000006
【図５】
2011245227.tif 000007
【図６】
2011245227.tif 000008
【図７】
2011245227.tif 000009